(57)【特許請求の範囲】
【請求項１】
ユーザから所定の料金を受け取ることにより、該ユーザの写真撮影、画像編集、および、画像を印画した写真シールの提供を実行する写真シール作成ゲームを実行する写真シール作成装置であって、
ユーザを認証する認証部と、
前記認証部が認証したユーザを一意に識別するためのユーザ識別情報を送信する送信部と、
複数のユーザの嗜好をそれぞれ推測するための複数の嗜好推測情報を含む嗜好推測情報群であって、或るユーザを示すユーザ識別情報が互いに異なる複数種類の嗜好推測情報群のうち、前記認証部が認証したユーザに関する複数種類の嗜好推測情報に基づいて特定された当該ユーザの嗜好に合った広告関連情報を受信する受信部と、
前記広告関連情報を表示する表示部と、を備え、
前記広告関連情報は、商品およびサービスの購入代金に使用可能なポイントをユーザに提供するための情報であって、
前記ポイントの額または付与率は、ユーザの嗜好を考慮し、当該写真シール作成装置の機種および設置場所の少なくともいずれか一方に応じて変更されることを特徴とする写真シール作成装置。
【請求項２】
前記送信部は、複数のユーザの前記写真シール作成装置の利用にそれぞれ関する複数の利用情報を含む利用情報群を送信し、
前記複数種類の嗜好推測情報群は、前記利用情報群を含むことを特徴とする請求項１に記載の写真シール作成装置。
【請求項３】
前記複数種類の嗜好推測情報群は、前記利用情報群と異なる嗜好推測情報群であって、前記利用情報群を管理する管理業者が管理する第１嗜好推測情報群、および、前記管理業者とは異なる業者が管理する第２嗜好推測情報群の少なくとも何れかを含むことを特徴とする請求項２に記載の写真シール作成装置。
【請求項４】
前記広告関連情報は、前記写真シール作成装置の利用情報を管理する管理業者についての情報、または、当該管理業者が提供する商品もしくはサービスについての情報であることを特徴とする請求項１〜３の何れか１項に記載の写真シール作成装置。
【請求項５】
前記写真シール作成装置および当該写真シール作成装置と異なる他の写真シール作成装置は、前記写真シール作成装置の利用情報を管理する管理業者が提供した装置であることを特徴とする請求項４に記載の写真シール作成装置。
【請求項６】
請求項１〜５の何れか１項に記載の写真シール作成装置と、
解析装置であって、
課金に応じて画像を生成する写真シール作成装置からユーザを一意に識別するためのユーザ識別情報、および、外部の装置から、複数のユーザの嗜好をそれぞれ推測するための複数の嗜好推測情報を含む嗜好推測情報群であって、或るユーザを示すユーザ識別情報が互いに異なる複数種類の嗜好推測情報群を取得する取得部と、
前記複数種類の嗜好推測情報群のうち、前記取得部が取得したユーザ識別情報が示すユーザに関する複数種類の嗜好推測情報に基づいて、当該ユーザの嗜好を特定する特定部と、
前記ユーザの嗜好を示す嗜好データを送信する嗜好データ送信部と、を備える解析装置と、
前記嗜好データが示す嗜好に合った広告関連情報を前記写真シール作成装置に送信する情報配信装置と、を含むことを特徴とする情報配信システム。
【請求項７】
前記取得部は、前記嗜好推測情報群として、複数のユーザの前記写真シール作成装置の利用にそれぞれ関する複数の利用情報を含む利用情報群を取得することを特徴とする請求項６に記載の情報配信システム。
【請求項８】
前記取得部は、前記嗜好推測情報群として、前記利用情報群と異なる嗜好推測情報群であって、前記利用情報群を管理する管理業者が管理する第１嗜好推測情報群、および、前記管理業者とは異なる業者が管理する第２嗜好推測情報群の少なくとも何れかを取得することを特徴とする請求項７に記載の情報配信システム。
【請求項９】
ユーザから所定の料金を受け取ることにより、該ユーザの写真撮影、画像編集、および、画像を印画した写真シールの提供を実行する写真シール作成ゲームを実行する写真シール作成装置の制御方法であって、
ユーザを認証する認証ステップと、
前記認証ステップにおいて認証されたユーザを一意に識別するためのユーザ識別情報を送信する送信ステップと、
複数のユーザの嗜好をそれぞれ推測するための複数の嗜好推測情報を含む嗜好推測情報群であって、或るユーザを示すユーザ識別情報が互いに異なる複数種類の嗜好推測情報群のうち、前記認証ステップにおいて認証されたユーザに関する複数種類の嗜好推測情報に基づいて特定された当該ユーザの嗜好に合った広告関連情報を受信する受信ステップと、
前記広告関連情報を表示する表示ステップと、を含み、
前記広告関連情報は、商品およびサービスの購入代金に使用可能なポイントをユーザに提供するための情報であって、
前記ポイントの額または付与率は、ユーザの嗜好を考慮し、当該写真シール作成装置の機種および設置場所の少なくともいずれか一方に応じて変更されることを特徴とする写真シール作成装置の制御方法。
【発明の詳細な説明】
【技術分野】
【０００１】
本発明は、画像生成装置を利用するユーザの嗜好に合った情報を提示するための画像生成装置、解析装置、情報配信システム、画像生成装置の制御方法および解析装置の制御方法に関する。
【背景技術】
【０００２】
広告等を表示する写真シール作成装置が従来技術として知られている。例えば、特許文献１には、アミューズメント施設等の実店舗に設置されている写真シール作成装置等の機器において、ユーザを認証して、当該ユーザの実店舗における行動履歴に合ったお奨めの情報をユーザに提示する推奨情報提示システムが記載されている。
【０００３】
また、広告の効果を高めるために、ユーザの嗜好に合った情報を提供する様々な技術が開発されている。例えば、特許文献２には、複数のユーザについて、２つのドメインに関する嗜好データ（第１の嗜好データ、第２の嗜好データ）を収集し、第１の嗜好データと第２の嗜好データとの相関を算出し、その相関に基づいて、対象ユーザの第１の嗜好データから対象ユーザの第２のドメインに関する嗜好を推測する嗜好推測システムが記載されている。
【先行技術文献】
【特許文献】
【０００４】
【特許文献１】特開２０１３−０９７４６５号公報（２０１３年５月２０日公開）
【特許文献２】特開２０１１−２３３０４１号公報（２０１１年１１月１７日公開）
【発明の概要】
【発明が解決しようとする課題】
【０００５】
しかしながら、上述のような従来技術は下記のような問題がある。
【０００６】
特許文献１に記載の技術では、実店舗における行動履歴のみからユーザの嗜好を解析している。そのため、ユーザの嗜好に合った精度の高い情報を提示するためには、十分な量の行動履歴を収集する必要がある。よって、特に情報収集に多くの時間と手間がかかるという問題がある。
【０００７】
特許文献２に記載の技術では、複数のユーザから得られた相関に基づいて、対象ユーザの第１の嗜好データから第２のドメインに関する対象ユーザの嗜好を推測している。そのため、必ずしも対象ユーザがその相関に従うとは限らず、嗜好の推測の精度が低い場合がある。
【０００８】
具体的には、課金に応じて生成画像を生成する画像生成装置（例えば、写真シール作成装置）のコアユーザは、１０代〜２０代前半（特に１３歳〜１８歳）の女性である。一方、一般的な嗜好データでは、ユーザをＴ層（１３歳〜１９歳の男女）、Ｆ１層（２０歳〜３４歳の女性）等に分類しており、画像生成装置のコアユーザが細分化されていない。そのため、特許文献２に記載の技術を用いても、画像生成装置のコアユーザの嗜好を高精度に特定することは困難である。
【０００９】
本発明は、上記の問題点に鑑みてなされたものであり、その目的は、画像生成装置を利用するユーザの嗜好に合った情報を提示するための画像生成装置、解析装置、情報配信システム、画像生成装置の制御方法および解析装置の制御方法を実現することにある。
【課題を解決するための手段】
【００１０】
本発明の一態様に係る画像生成装置は、上記の課題を解決するために、課金に応じて画像を生成する画像生成装置であって、ユーザを認証する認証部と、前記認証部が認証したユーザを一意に識別するためのユーザ識別情報を送信する送信部と、複数のユーザの嗜好をそれぞれ推測するための複数の嗜好推測情報を含む嗜好推測情報群であって、或るユーザを示すユーザ識別情報が互いに異なる複数種類の嗜好推測情報群のうち、前記認証部が認証したユーザに関する複数種類の嗜好推測情報に基づいて特定された当該ユーザの嗜好に合った広告関連情報を受信する受信部と、前記広告関連情報を表示する表示部と、を備えることを特徴としている。
【００１１】
前記の構成によれば、前記複数種類の嗜好推測情報に基づいて特定された前記ユーザの嗜好に合った広告関連情報を表示するため、画像生成装置を利用しているユーザの嗜好に高精度に適合する広告関連情報を表示することができる。よって、広告効果を向上させることができるという効果を奏する。
【００１２】
本発明の一態様に係る画像生成装置において、前記送信部は、複数のユーザの前記画像生成装置の利用にそれぞれ関する複数の利用情報を含む利用情報群を送信し、前記複数種類の嗜好推測情報群は、前記利用情報群を含んでいてもよい。
【００１３】
前記の構成によれば、前記利用情報を含む前記複数種類の嗜好推測情報に基づいて特定された前記ユーザの嗜好に合った広告関連情報を表示する。そのため、画像生成装置を利用しているユーザの嗜好により高精度に適合する広告関連情報を表示することができる。
【００１４】
本発明の一態様に係る画像生成装置において、前記複数種類の嗜好推測情報群は、前記利用情報群と異なる嗜好推測情報群であって、前記利用情報群を管理する管理業者が管理する第１嗜好推測情報群、および、前記管理業者とは異なる業者が管理する第２嗜好推測情報群の少なくとも何れかを含んでいてもよい。
【００１５】
前記の構成によれば、前記利用情報と、前記第１嗜好推測情報群に含まれる第１嗜好推測情報および前記第２嗜好推測情報群に含まれる第２嗜好推測情報の少なくとも何れかとを含む前記複数種類の嗜好推測情報に基づいて特定された前記ユーザの嗜好に合った広告関連情報を表示する。このように、前記管理業者が管理する複数の嗜好推測情報または複数の業者が管理する複数の嗜好推測情報に基づいて前記ユーザの嗜好が特定されるため、画像生成装置を利用しているユーザの嗜好により高精度に適合する広告関連情報を表示することができる。
【００１６】
本発明の一態様に係る画像生成装置において、前記広告関連情報は、広告を表示するための広告情報、クーポンをユーザに提供するためのクーポン情報、ウェブサイトにアクセスするためのウェブサイト情報、商品およびサービスの購入代金に使用可能なポイントをユーザに提供するためのポイント情報、または、ゲームで利用可能なアイテムをユーザに提供するためのアイテム情報であってもよい。
【００１７】
前記の構成によれば、ユーザは、広告関連情報を視認することにより、広告関連情報から得られるメリットを直感的に確認することができる。よって、ユーザに与える満足度を高め、広告効果を向上させることができる。
【００１８】
本発明の一態様に係る画像生成装置において、前記広告関連情報は、前記画像生成装置の利用情報を管理する管理業者、または、当該管理業者が提供する商品もしくはサービスについての情報であってよい。
【００１９】
前記の構成によれば、前記管理業者によるユーザの囲い込みを行うことができる。
【００２０】
本発明の一態様に係る画像生成装置において、前記ポイント情報は、前記画像生成装置および当該画像生成装置と異なる他の画像生成装置において使用可能なポイントを提供するための情報であってよい。
【００２１】
前記の構成によれば、画像生成装置専用のポイントを提供することによって、画像生成装置の利用を促進させることができる。ひいては、画像生成装置が設置されている店舗の収入を向上させることができる。
【００２２】
本発明の一態様に係る画像生成装置において、前記画像生成装置および当該画像生成装置と異なる他の画像生成装置は、前記画像生成装置の利用情報を管理する管理業者が提供した装置であってよい。
【００２３】
前記の構成によれば、前記管理業者によるユーザの囲い込みを行うことができる。
【００２４】
本発明の一態様に係る画像生成装置において、前記アイテムは、前記画像生成装置および当該画像生成装置と異なる他の画像生成装置においてのみ入手可能な限定アイテムであってよい。
【００２５】
前記の構成によれば、画像生成装置でのみ入手可能な限定アイテムを提供することによって、画像生成装置の利用を促進させることができる。ひいては、画像生成装置が設置されている店舗の収入を向上させることができる。
【００２６】
本発明の一態様に係る解析装置は、上記の課題を解決するために、課金に応じて画像を生成する画像生成装置からユーザを一意に識別するためのユーザ識別情報、および、外部の装置から、複数のユーザの嗜好をそれぞれ推測するための複数の嗜好推測情報を含む嗜好推測情報群であって、或るユーザを示すユーザ識別情報が互いに異なる複数種類の嗜好推測情報群を取得する取得部と、前記複数種類の嗜好推測情報群のうち、前記取得部が取得したユーザ識別情報が示すユーザに関する複数種類の嗜好推測情報に基づいて、当該ユーザの嗜好を特定する特定部と、前記ユーザの嗜好を示す嗜好データを送信する嗜好データ送信部と、を備えることを特徴としている。
【００２７】
前記の構成によれば、前記複数種類の嗜好推測情報に基づいて前記ユーザの嗜好を特定するため、画像生成装置を利用しているユーザの嗜好に高精度に推定することができる。よって、ユーザの嗜好に合った広告関連情報をユーザに提示することができ、広告効果を向上させることができるという効果を奏する。
【００２８】
本発明の一態様に係る解析装置において、前記取得部は、前記嗜好推測情報群として、複数のユーザの前記画像生成装置の利用にそれぞれ関する複数の利用情報を含む利用情報群を取得してもよい。
【００２９】
前記の構成によれば、前記利用情報を含む前記複数種類の嗜好推測情報に基づいて前記ユーザの嗜好を特定する。そのため、画像生成装置を利用しているユーザの嗜好をより高精度に推定することができる。
【００３０】
本発明の一態様に係る解析装置において、前記取得部は、前記嗜好推測情報群として、前記利用情報群と異なる嗜好推測情報群であって、前記利用情報群を管理する管理業者が管理する第１嗜好推測情報群、および、前記管理業者とは異なる業者が管理する第２嗜好推測情報群の少なくとも何れかを取得してもよい。
【００３１】
前記の構成によれば、前記利用情報と、前記第１嗜好推測情報群に含まれる第１嗜好推測情報および前記第２嗜好推測情報群に含まれる第２嗜好推測情報の少なくとも何れかとを含む前記複数種類の嗜好推測情報に基づいて前記ユーザの嗜好を特定する。このように、前記管理業者が管理する複数の嗜好推測情報または複数の業者が管理する複数の嗜好推測情報に基づいて前記ユーザの嗜好が特定されるため、画像生成装置を利用しているユーザの嗜好をより高精度に推定することができる。
【００３２】
本発明の一態様に係る情報配信システムは、前記画像生成装置と、前記解析装置と、前記嗜好データが示す嗜好に合った広告関連情報を前記画像生成装置に送信する情報配信装置と、を含んでいてよい。
【００３３】
前記の構成によれば、前記画像生成装置および前記解析装置と同様の効果を奏することができる。
【００３４】
本発明の一態様に係る画像生成装置の制御方法は、上記の課題を解決するために、課金に応じて画像を生成する画像生成装置の制御方法であって、ユーザを認証する認証ステップと、前記認証ステップにおいて認証されたユーザを一意に識別するためのユーザ識別情報を送信する送信ステップと、複数のユーザの嗜好をそれぞれ推測するための複数の嗜好推測情報を含む嗜好推測情報群であって、或るユーザを示すユーザ識別情報が互いに異なる複数種類の嗜好推測情報群のうち、前記認証ステップにおいて認証されたユーザに関する複数種類の嗜好推測情報に基づいて特定された当該ユーザの嗜好に合った広告関連情報を受信する受信ステップと、前記広告関連情報を表示する表示ステップと、を含むことを特徴としている。
【００３５】
前記の構成によれば、前記画像生成装置と同様の効果を奏することができる。
【００３６】
本発明の一態様に係る解析装置の制御方法は、上記の課題を解決するために、課金に応じて画像を生成する画像生成装置からユーザを一意に識別するためのユーザ識別情報、および、外部の装置から、複数のユーザの嗜好をそれぞれ推測するための複数の嗜好推測情報を含む嗜好推測情報群であって、或るユーザを示すユーザ識別情報が互いに異なる複数種類の嗜好推測情報群を取得する取得ステップと、前記複数種類の嗜好推測情報群のうち、前記取得ステップにおいて取得されたユーザ識別情報が示すユーザに関する複数種類の嗜好推測情報に基づいて、前記ユーザの嗜好を特定する特定ステップと、前記ユーザの嗜好を示す嗜好データを送信する嗜好データ送信ステップと、を含むことを特徴としている。
【００３７】
前記の構成によれば、前記解析装置と同様の効果を奏することができる。
【発明の効果】
【００３８】
本発明によれば、画像生成装置を利用しているユーザの嗜好に高精度に適合する広告関連情報を表示することができる。よって、広告効果を向上させることができるという効果を奏する。
【図面の簡単な説明】
【００３９】
【図１】本発明の一実施形態に係る写真シール作成装置が備える制御部の機能ブロックの一例を示す図である。
【図２】本発明の一実施形態に係る情報配信システムの構成の一例を示す図である。
【図３】ある角度から見た場合における本発明の一実施形態に係る写真シール作成装置の外観を示す斜視図である。
【図４】図３に示す角度とは別の角度から見た場合における本発明の一実施形態に係る写真シール作成装置の外観の一例を示す斜視図である。
【図５】本発明の一実施形態に係る撮影部の外観の一例を示す斜視図である。
【図６】本発明の一実施形態に係る背景部の外観の一例を示す斜視図である。
【図７】本発明の一実施形態に係る編集部の外観の一例を示す斜視図である。
【図８】本発明の一実施形態に係る事前接客部の外観の一例を示す斜視図である。
【図９】本発明の一実施形態に係る印刷部の外観の一例を示す斜視図である。
【図１０】本発明の一実施形態に係る写真シール作成装置が実行する写真シール作成ゲームの流れとユーザの移動とを模式的に示す図である。
【図１１】本発明の一実施形態に係る写真シール作成装置の機能の要部構成を示すブロック図である。
【図１２】本発明の一実施形態に係る解析装置の要部構成の一例を示すブロック図である。
【図１３】本発明の一実施形態に係る情報配信装置の要部構成の一例を示すブロック図である。
【図１４】前記情報配信システムが実行する情報配信処理の一例を示すフローチャートである。
【図１５】前記写真シール作成装置において表示される広告関連情報の一例を示す図である。
【図１６】本発明の他の実施形態に係る情報配信システムの構成の一例を示す図である。
【発明を実施するための形態】
【００４０】
＜実施形態１＞
本発明に係る情報配信システムの一実施形態について、図１〜図１５を参照して説明する。但し、この実施形態に記載されている構成は、特に特定的な記載がない限り、この発明の範囲をそれのみに限定する趣旨ではなく、単なる説明例に過ぎない。
【００４１】
〔情報配信システム〕
図２は、本実施形態に係る情報配信システム１０００の構成の一例を示す図である。情報配信システム１０００は、ユーザの嗜好に合った情報を配信するためのシステムである。図２に示すように、情報配信システム１０００は、写真シール作成装置１、解析装置５００、情報配信装置６００および広告関連情報データベース７００を含む。図２に示すように、写真シール作成装置１、解析装置５００および情報配信装置６００は、それぞれ通信可能に接続されている。
【００４２】
写真シール作成装置１は、写真シール作成ゲームをユーザに提供する。具体的には、写真シール作成装置１は、ユーザの写真撮影、画像編集、および、画像を印画した写真シールの提供等を実行する。写真シール作成装置はゲームセンタなどの店舗に設置される。写真シール作成装置１を利用するユーザは１人であることもあるし、複数人であることもある。
【００４３】
１人または複数人のユーザは、所定の代金を写真シール作成装置１に支払い、写真シール作成ゲームを１回プレイする。１プレイの写真シール作成ゲームは、（１）ユーザが被写体となって撮影を行う撮影工程、（２）撮影によって得られた撮影画像に対して手書きの線画やスタンプ画像などを合成する編集機能を用いて編集を行う編集工程、及び、（３）編集済み画像（または撮影画像）が印刷されたシール紙を受け取る受取工程を含む。なお、写真シール作成ゲームを一緒に（つまり、同時に）行う１人以上のユーザを、「１グループ」とも呼称する。
【００４４】
上述のように、写真シール作成装置１は、ユーザから所定の料金を受け取ることにより、写真シール作成ゲームを１回実行する。換言すると、写真シール作成装置１は、課金に応じて画像を生成する画像生成装置である。
【００４５】
図２に示すように、写真シール作成装置１は、携帯端末３００と通信接続することができる。携帯端末３００は、写真シール作成装置１を利用するユーザが所有する通信装置であり、例えば、携帯電話機、スマートフォン、タブレット端末、ＩＣ（Integrated Circuit）カード等である。本実施形態では、写真シール作成装置１は、後述する無線通信ユニット１５０（無線通信手段）を備えており、携帯端末３００と近距離無線通信を行うことができる。
【００４６】
また、図２に示すように、写真シール作成装置１は、管理サーバ４００と通信可能に接続されている。管理サーバ４００は、ユーザ毎に、写真シール作成装置１が生成した画像を管理するものである。管理サーバ４００は、ユーザが写真シール作成装置１において生成した画像を閲覧したり、編集したり、携帯端末３００に保存したりするためのサービスを提供するための画像提供サイト（ウェブサイト）を管理する。ユーザは、画像提供サイトのサービスを利用するために、画像提供サイトにおいて会員登録を行う。管理サーバ４００は、会員登録したユーザに対して、ユーザを一意に識別するための会員ＩＤを付与する。
【００４７】
管理サーバ４００および管理サーバ４００が提供する画像提供サイトは、写真シール作成装置１の利用情報を管理する管理業者が管理している。すなわち、前記管理業者は、管理サーバ４００が保持する情報を管理している。
【００４８】
解析装置５００は、写真シール作成装置１および管理サーバ４００等の外部装置からユーザの嗜好を推測するための情報（嗜好推測情報）を収集し、収集した嗜好推測情報を解析して、ユーザの嗜好を推定するものである。解析装置５００は、例えば、ＤＭＰ（Data Management Platform：データマネジメントプラットフォーム）で実現される。
【００４９】
情報配信装置６００は、解析装置５００が推定したユーザの嗜好に合った広告関連情報を特定し、特定した広告関連情報を前記ユーザが利用している写真シール作成装置１およびウェブサイト等の媒体に配信する。情報配信装置６００は、例えば、アドサーバ、または、ＤＳＰ（Demand-Side Platform：デマンドサイドプラットフォーム）およびＳＳＰ（Supply-Side Platform：サプライサイドプラットフォーム）で実現される。
【００５０】
広告関連情報データベース７００は、広告関連情報を格納しているデータベースである。
【００５１】
〔写真シール作成装置の構成〕
まず、図３から図１１を参照して、本実施形態に係る写真シール作成装置１の構成について説明する。図３は、ある角度から見た場合における本実施形態に係る写真シール作成装置１の外観を示す斜視図である。また、図４は、上記ある角度とは別の角度から見た場合における本実施形態に係る写真シール作成装置１の外観の一例を示す斜視図である。
【００５２】
図３及び図４に示すように、写真シール作成装置１は、主に、撮影ユニット１１、編集部１２、事前接客部１４、および、印刷部１５を備えている。また、撮影ユニット１１は、撮影部２１及び背景部２２を備えている。撮影部２１と背景部２２とは一定の距離だけ離れて設置される。そして、撮影部２１と背景部２２との間に形成される空間である撮影空間（図１０に示す、Ａ１）において撮影工程が行われる。
【００５３】
（撮影部）
撮影部２１は、１プレイにおける撮影工程をユーザに実行させる。撮影部２１は、撮影空間に入って撮影工程を行うユーザの正面に位置する。撮影部２１の構成について、図５を参照して説明する。図５は、本実施形態に係る撮影部２１の外観の一例を示す斜視図である。
【００５４】
図５に示すように、撮影部２１は、正面パネル４１、側面パネル４２Ａ、側面パネル４２Ｂ、及び、ベース部４３を備えている。また、ベース部４３は、箱状の形状を有しており、正面パネル４１、側面パネル４２Ａ、及び、側面パネル４２Ｂは、それぞれベース部４３に固定されている。
【００５５】
正面パネル４１は撮影空間において撮影工程を行うユーザの正面に位置している。また、撮影空間において撮影工程を行うユーザから見て、側面パネル４２Ａは正面パネル４１の左側に位置し、側面パネル４２Ｂは正面パネル４１の右側に位置している。側面パネル４２Ａの上方には連結部２３Ａが固定され、側面パネル４２Ｂの上方には連結部２３Ｂが固定されている。
【００５６】
正面パネル４１のほぼ中央には、撮影・表示ユニット８１が設けられている。撮影・表示ユニット８１は、カメラ９１、正面ストロボ９２、及び、タッチパネルモニタ９３を備えている。また、撮影・表示ユニット８１のカメラ９１の下方には、無線通信ユニット１５０（詳細については後述する）が備えられている。
【００５７】
カメラ９１は、例えば、ＣＣＤ(Charge Coupled Device)などの撮像素子により構成され、撮影空間にいるユーザを動画像又は静止画像として撮影する。カメラ９１により撮影された動画像は、タッチパネルモニタ９３にリアルタイムで表示される。ユーザにより撮影が指示されたときなどの所定のタイミングでカメラ９１により撮影された画像は撮影画像（静止画像）として保存される。
【００５８】
タッチパネルモニタ９３は、カメラ９１の下側に設けられ、例えば、ＬＣＤ(Liquid Crystal Display)などのモニタ、及び、モニタに積層されたタッチパネルにより構成される。タッチパネルモニタ９３は、カメラ９１により撮影された動画像を表示するライブビューモニタとしての機能と、各種のＧＵＩ(Graphical User Interface)画像を表示してユーザの選択操作をタッチパネルにより受け付ける機能と、を有している。また、タッチパネルモニタ９３には、背景などの画像が合成された後の動画像が表示されてもよい。
【００５９】
また、正面パネル４１には、撮影・表示ユニット８１の位置を基準として、上方に上ストロボ８２が設置され、左方に左ストロボ８３が設置され、右方に右ストロボ８４が設置されている。撮影・表示ユニット８１の下方には、ベース部４３の上面が一部突出する形で下ストロボ８５が設けられる。ベース部４３には、ユーザの足元を照射する足元ストロボ８６が設けられている。
【００６０】
上ストロボ８２、左ストロボ８３、右ストロボ８４、下ストロボ８５、及び、足元ストロボ８６は、内部に光源（例えば、ＬＥＤ及び蛍光灯など）が設けられており、後述する天井ストロボユニット２４と共に、撮影空間内の照明として用いられる。
【００６１】
足元ストロボ８６の右側には、ユーザがお金を投入する硬貨投入返却口８７が設けられる。また、下ストロボ８５を挟んでベース部４３の上面の左右に形成されるスペース４３Ａ及びスペース４３Ｂは、撮影工程を行うユーザが手荷物などを置くための荷物置き場として用いることができる。正面パネル４１の例えば天井付近には、撮影工程に関する案内の音声、ＢＤＭ(Back Ground Music)、及び効果音などの音を出力するスピーカ（不図示）がさらに設けられていてもよい。
【００６２】
（背景部）
背景部２２は、正面（すなわち、撮影部２１が配置されている方向）を向いて撮影工程を行うユーザの背面側に位置している。背景部２２は、図３及び図４に示すように、板状の部材である背面パネル５１、背面パネル５１の左端に取り付けられ、側面パネル４２Ａより横幅（短手方向）の狭い板状の部材である側面パネル５２Ａ、および、背面パネル５１の右端に取り付けられ、側面パネル４２Ｂより横幅の狭い板状の部材である側面パネル５２Ｂを備えている。
【００６３】
撮影部２１の側面パネル４２Ａ及び背景部２２の側面パネル５２Ａは、ほぼ同一平面に設けられ、それぞれの上部が、板状の部材である連結部２３Ａによって連結される。撮影部２１の側面パネル４２Ｂ及び背景部２２の側面パネル５２Ｂもまた、ほぼ同一平面に設けられ、それぞれの上部が、板状の部材である連結部２３Ｂによって連結される。
【００６４】
背景部２２の構成について、図６を参照して説明する。図６は、本実施形態に係る背景部２２の外観の一例を示す斜視図である。図６に示すように、背景部２２は、その上方に、背景カーテンユニット２５、背面中央ストロボ１０１、背面左ストロボ１０２、及び、背面右ストロボ１０３を備えている。
【００６５】
背景カーテンユニット２５は、背面パネル５１、側面パネル５２Ａ、及び、側面パネル５２Ｂに支持されている。背景カーテンユニット２５には、色または柄の異なる、背景に利用する巻き取り式の背景カーテンが複数収納されている。背景カーテンユニット２５は、撮影部２１に設けられたカメラ９１等による撮影と連動して動作し、撮影工程の際に、例えばユーザにより選択された色のカーテンを下ろし、その他のカーテンを巻き取る。なお、背景カーテンは１枚でもよく、この場合、合成用クロマキーカーテンでもよい。
【００６６】
背面中央ストロボ１０１は、背景カーテンユニット２５のほぼ中央に取り付けられ、撮影空間内で撮影工程を行うユーザを後方中央から照射する。また、背面左ストロボ１０２は背面パネル５１の側面パネル４２Ａ側上方に取り付けられ、背面右ストロボ１０３は背面パネル５１の側面パネル４２Ｂ側上方に取り付けられ、それぞれ撮影工程を行うユーザを左後方、右後方から照射する。
【００６７】
図３及び図４に示すように、撮影部２１の側面パネル４２Ａ、背景部２２の側面パネル５２Ａ、及び、連結部２３Ａに囲まれて形成される開口が、ユーザが撮影空間の出入りを行う出入り口Ｇ１となる。また、撮影部２１の側面パネル４２Ｂ、背景部２２の側面パネル５２Ｂ、及び、連結部２３Ｂに囲まれて形成される開口が、撮影空間の出入り口Ｇ２となる。
【００６８】
さらに、撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられている。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。
【００６９】
（編集部）
編集部１２は、撮影工程によって得られた画像を編集する編集工程をユーザに実行させる。編集部１２は、一方の側面が撮影部２１の正面パネル４１の背面に接するように撮影ユニット１１に連結して設けられる。
【００７０】
また、編集部１２は、ユーザが編集工程を行うための構成を２つ備えている。図３及び図４に示す構成を正面側とすると、編集部１２は、正面側に構成を備え、背面側にも同様の構成を備えている。これにより、２組のグループのユーザが、それぞれ異なる撮影工程において撮影した撮影画像に対して、並行して編集工程を行うことができる（すなわち、写真シール作成装置１は、少なくとも２つの写真シール作成ゲームを並行して行うことができる）。
【００７１】
編集部１２の構成について、図７を参照して説明する。図７は、本実施形態に係る編集部１２の外観の一例を示す斜視図である。図７に示すように、編集部１２は、床面に対して垂直な面７１、面７１の上方に形成された斜面７２、柱状の形状を有する支持部７３Ａ、支持部７３Ｂ、支持部７５、照明装置７４、及び、カーテンレール２６を備えている。
【００７２】
支持部７３Ａは照明装置７４の一端を支持し、また、支持部７３Ｂは照明装置７４の他端を支持している。支持部７５は、支持部７３Ａの上面に設けられ、カーテンレール２６を支持している。
【００７３】
斜面７２には、当該斜面７２のほぼ中央に、タブレット内蔵モニタ１３１が設けられている。また、タブレット内蔵モニタ１３１を挟んで、左側にタッチペン１３２Ａが設けられ、右側にタッチペン１３２Ｂが設けられている。また、斜面７２には、タブレット内蔵モニタ１３１の上方に、無線通信ユニット１５０Ｃを備えている（詳細については後述する）。
【００７４】
タブレット内蔵モニタ１３１は、例えば、ＬＣＤなどのモニタ、及び、モニタに積層されるタブレットであってタッチペン１３２Ａ及び１３２Ｂを用いて操作入力が可能なタブレットにより構成されている。タブレット内蔵モニタ１３１には、例えば、撮影工程において撮影された複数の撮影画像のうち、編集工程において編集対象となる画像としてユーザにより選択された画像が表示される（編集画面）。
【００７５】
カーテンレール２６は、編集部１２を上から見たときの形状がコの字状となるように３本のレール２６Ａ〜２６Ｃを組み合わせて構成される。レール２６Ａ及び２６Ｂの一端は連結部２３Ａと連結部２３Ｂにそれぞれ固定され、レール２６Ａの他端はレール２６Ｃの一端に固定され、また、レール２６Ｂの他端はレール２６Ｃの他端に固定されている。また、カーテンレール２６には、編集部１２のタブレット内蔵モニタ１３１が外から見えないように、カーテン（不図示）が取り付けられる。カーテンレール２６に取り付けられたカーテンと編集部１２との間の空間が、ユーザが編集工程を行う編集空間（図１０に示す、Ａ２−１、及び、Ａ２−２）となる。
【００７６】
（事前接客部）
事前接客部１４は、事前接客工程をユーザに実行させる。事前接客部１４の構成について、図８を参照して説明する。図８は、本実施形態に係る事前接客部１４の外観の一例を示す斜視図である。図８に示すように、事前接客部１４は、タブレット内蔵モニタ１４１、タッチペン１４２Ａ、１４２Ｂ、及び、無線通信ユニット１５０Ａ（詳細は後述する）を備えている。
【００７７】
タブレット内蔵モニタ１４１は、事前接客部１４のほぼ中央に設けられており、タブレット内蔵モニタ１４１を挟んで左側にタッチペン１４２Ａが、右側にタッチペン１４２Ｂが設けられている。タブレット内蔵モニタ１４１は、タブレット内蔵モニタ１３１と同様の構成である。タブレット内蔵モニタ１４１には、事前接客工程に用いられる画面が表示される。
【００７８】
事前接客部１４の正面前方の空間が、ユーザが事前接客工程を行う事前接客空間（図１０に示す、Ａ４）となる。
【００７９】
（印刷部）
印刷部１５は、受取工程において、編集済み画像を印刷したシール紙をユーザに提供する。印刷部１５の構成について、図９を参照して説明する。図９は、本実施形態に係る印刷部１５の外観の一例を示す斜視図である。図９に示すように、印刷部１５は、シール紙排出口１６４、及び、スピーカ１６５を備えている。
【００８０】
印刷部１５は、板状の筐体を有しており、その背面が編集部１２の一方の側面に接するように編集部１２に連結して設けられる。印刷部１５の正面前方の空間が、シール紙への印刷が終わるのを待つユーザが受取工程を行う事後接客空間（図１０に示す、Ａ３）となる。
【００８１】
シール紙排出口１６４は、編集工程においてユーザにより編集された編集済み画像が印刷されたシール紙が排出し、これにより、シール紙がユーザに提供される。なお、編集部１２の内部にはプリンタが設けられており、編集済み画像のシール紙への印刷処理はそのプリンタにより行われる。
【００８２】
スピーカ１６５は、シール紙排出時の案内音声、ＢＧＭ、及び、効果音などの音を出力する。
【００８３】
（無線通信ユニット）
上述したように、写真シール作成装置１は、無線通信ユニット１５０を備えている。より具体的には、事前接客部１４に無線通信ユニット１５０Ａが、撮影部２１に無線通信ユニット１５０Ｂが、編集部１２に無線通信ユニット１５０Ｃ、１５０Ｄ（後述）が備えられている。なお、ユニット１５０Ａ〜Ｄは何れも同様の構成である。
【００８４】
無線通信ユニット１５０は、所定の範囲内に存在する携帯端末３００を検出すると共に、検出した携帯端末３００との間で近距離無線通信を行う。所定の範囲内とは、無線通信ユニット１５０を中心とし、当該無線通信ユニット１５０の仕様上の最大通信距離を半径とする範囲内のことを指す。なお、無線通信ユニット１５０は、所定の範囲内に携帯端末３００が複数存在する場合には、複数の携帯端末３００を略同時に検出することができる（換言すれば、無線通信ユニット１５０は、複数の携帯端末３００を各個別に順次検出する必要がない）。
【００８５】
また、無線通信ユニット１５０を中心とした仕様上の最大通信距離を半径とする範囲内には、写真シール作成装置１全体が含まれている。
【００８６】
無線通信ユニット１５０としては、例えば、Ｂｅａｃｏｎを挙げることができる。Ｂｅａｃｏｎの仕様上（Bluetooth（登録商標） LowEnergyの規格上）の最大通信距離は約５０ｍであり、推奨される通信距離の範囲は１０ｍである。また、無線通信ユニット１５０は、フェリカ（登録商標）等のＩＣカードを読み取り可能な読取装置であってもよい。
【００８７】
〔写真シール作成ゲームにおけるユーザの移動〕
ここで、写真シール作成装置１が実行する写真シール作成ゲームの流れと、それに伴うユーザの移動について図１０を参照して説明する。図１０は、写真シール作成装置１が実行する写真シール作成ゲームの流れとユーザの移動とを模式的に示す図である。
【００８８】
写真シール作成装置１のユーザは、矢印＃１で示すように出入り口Ｇ１から、または矢印＃２で示すように出入り口Ｇ２から、撮影部２１と背景部２２の間に形成された撮影空間Ａ１に入り、撮影部２１に設けられたカメラやタッチパネルモニタなど利用して撮影工程を行う。
【００８９】
撮影工程を終えたユーザは、矢印＃３で示すように出入り口Ｇ１から撮影空間Ａ１を出て編集空間Ａ２−１に移動するか、又は、矢印＃４で示すように出入り口Ｇ２から撮影空間Ａ１を出て編集空間Ａ２−２に移動する。編集空間Ａ２−１は、編集部１２の正面側の編集空間であり、編集空間Ａ２−２は、編集部１２の背面側の編集空間である。
【００９０】
編集空間Ａ２−１及び編集空間Ａ２−２のいずれの空間に移動するかは、撮影部２１のタッチパネルモニタ９３に表示される案内画面などによって案内される。例えば２つの編集空間Ａ２のうち他のグループのユーザに利用されていない編集空間Ａ２が移動先として案内される。編集空間Ａ２−１または編集空間Ａ２−２に移動したユーザは編集工程を開始する。なお、編集空間Ａ２−１を利用するグループのユーザと、編集空間Ａ２−２を利用するグループのユーザとは、それぞれ並行して編集工程を行うことができる。
【００９１】
編集工程が終了した後、写真シール作成装置１において、撮影画像や編集済みの画像の中から選択された画像の印刷処理が開始される。画像の印刷中、編集工程を終えたユーザは、矢印＃５及び矢印＃６で示すように編集空間Ａ２−１又は編集空間Ａ２−２から事後接客空間Ａ３に移動して、画像の印刷されたシール紙の提供を待つ。
【００９２】
画像の印刷が終了すると、ユーザは、受取工程においてシール紙排出口からシール紙を受け取る。これにより、写真シール作成装置１における一連の写真シール作成ゲーム（１プレイ）が終了する。
【００９３】
〔写真シール作成装置の機能〕
次に、写真シール作成装置１の機能構成について、図１１を参照して説明する。図１１は、写真シール作成装置１の機能の要部構成を示すブロック図である。図１１に示すように、写真シール作成装置１は、制御部２０１、撮影処理部２０８、編集処理部２０９Ａ、２０９Ｂ、印刷処理部２１１、及び、事前処理部２１２を備えている。
【００９４】
（制御部）
制御部２０１は、例えば、ＣＰＵ(Central Processing Unit)などにより構成され、当該制御部２０１に接続されている記憶部２０２及びＲＯＭ(Read Only Memory)２０６に記憶されているプログラムを実行することで写真シール作成装置１の全体の動作を制御する。また、制御部２０１には、通信部２０３、ドライブ２０４、ＲＡＭ(Random Access Memory)２０７が接続されており、さらに、撮影処理部２０８、編集処理部２０９Ａ、２０９Ｂ、印刷処理部２１１、及び、事前処理部２１２の各構成が接続されている。
【００９５】
通信部２０３は、インターネットなどのネットワークを介して通信を行うインタフェースであり、管理サーバ４００および解析装置５００との間で通信を行う。ＲＯＭ２０６には、制御部２０１において実行されるプログラムやデータが記憶されている。ＲＡＭ２０７は、制御部２０１が処理するデータやプログラムを一時的に記憶する。
【００９６】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９７】
記憶部２０２は、ハードディスクやフラッシュメモリなどの不揮発性の記憶媒体からなり、制御部２０１から供給された各種の設定情報を記憶する。
【００９８】
（事前処理部）
事前処理部２１２は、事前接客空間Ａ４における事前接客工程を実行するための構成であり、タブレット内蔵モニタ１４１、タッチペン１４２Ａ、１４２Ｂ、及び、無線通信ユニット１５０Ａを備えている。
【００９９】
タブレット内蔵モニタ１４１は、制御部２０１による制御に従い、事前処理に関するＵＩ画面を表示し、ユーザ入力を受け付ける。
【０１００】
また、無線通信ユニット１５０Ａは、事前処理空間Ａ４に来たユーザの携帯端末３００との間で通信を行うために使用される。
【０１０１】
（撮影処理部）
撮影処理部２０８は、撮影空間Ａ１における撮影工程を実行するための構成であり、硬貨処理部２２１、背景制御部２２２、照明制御部２２３、カメラ９１、タッチパネルモニタ９３、スピーカ２２４、及び、無線通信ユニット１５０Ｂを備えている。
【０１０２】
硬貨処理部２２１は、硬貨投入返却口８７に対する硬貨の投入を検出する。硬貨処理部２２１は、例えば４００円などの予め定められた金額分の硬貨が投入されたことを検出した場合、そのことを表す起動信号を制御部２０１に出力する。背景制御部２２２は、制御部２０１より供給される背景制御信号に従って背景カーテンユニット２５に収納されている背景カーテンの上げ下ろしを行う。
【０１０３】
照明制御部２２３は、制御部２０１より供給される照明制御信号に従って、撮影空間Ａ１内の各ストロボ２４、８２〜８６、１０１〜１０３の発光を制御する。また、照明制御部２２３は、各ストロボ２４、８２〜８６、１０１〜１０３の内部に設けられている光源の発光量を調整することにより、又は、発光させる光源の数を調整することにより、ユーザが行っている撮影工程の内容に応じて撮影空間内の明るさを調整する。カメラ９１は、制御部２０１による制御に従って撮影を行い、撮影によって得られた画像（撮影画像）を表す画像データを制御部２０１に出力する。
【０１０４】
無線通信ユニット１５０Ｂは、撮影空間Ａ１に来たユーザの携帯端末３００との間で通信を行うために使用される。
【０１０５】
（編集処理部）
編集処理部２０９Ａは、編集空間Ａ２−１における編集工程を実行するための構成であり、タブレット内蔵モニタ１３１、タッチペン１３２Ａ、１３２Ｂ、スピーカ２３１、及び、無線通信ユニット１５０Ｃを備えている。また、編集処理部２０９Ｂは、編集処理部２０９Ａと同一の構成を有しており、編集空間Ａ２−２における編集工程を実行する。
【０１０６】
タブレット内蔵モニタ１３１は、制御部２０１による制御に従って編集画面を表示し、編集画面に対するユーザの操作を受け付ける。ユーザの操作の内容を表す入力信号は制御部２０１に供給され、編集対象となる撮影画像に対する編集が行われる。
【０１０７】
無線通信ユニット１５０Ｃは、編集空間に来たユーザの携帯端末３００との間で通信を行うために使用される。
【０１０８】
（印刷処理部）
印刷処理部２１１は、印刷処理を行うプリンタ２４１、及び、シール紙ユニット２４２を備えている。プリンタ２４１は、編集部１２に備えられており、撮影画像及び編集済み画像を当該プリンタ２４１に装着されたシール紙ユニット２４２に収納されているシール紙に印刷し、シール紙排出口１６４に排出する。
【０１０９】
（制御部の詳細な構成）
図１は、写真シール作成装置１が備える制御部２０１の詳細な構成例を示す機能ブロック図である。図１に示すように、制御部２０１は、認証部２５１、利用情報生成部２５２、送信部２５３、取得部（受信部）２５４および表示制御部２５５を備えている。
【０１１０】
認証部２５１は、写真シール作成装置１を利用するユーザに対する認証処理を実行するものである。具体的には、認証部２５１は、無線通信ユニット１５０を介して、携帯端末３００から、ユーザを一意に識別するためのユーザ識別情報を取得する。認証部２５１は、記憶部２０２に記憶されているユーザ識別情報群２６１を読み出し、取得したユーザ識別情報と、読み出したユーザ識別情報群２６１とを照合する。認証部２５１は、読み出したユーザ識別情報群２６１内に取得したユーザ識別情報と一致するものがあれば、ユーザの認証成功とし、一方、読み出したユーザ識別情報群２６１内に取得したユーザ識別情報と一致するものがなければ、ユーザの認証失敗として、認証処理を終了する。認証部２５１は、認証が成功した場合、取得したユーザ識別情報を送信部２５３に出力する。
【０１１１】
ここで、ユーザ識別情報は、例えば、ユーザのメールアドレス、画像提供サイトの会員ＩＤ、携帯端末３００を一意に識別するための端末識別情報等である。また、ユーザ識別情報群とは、複数のユーザをそれぞれ示す複数のユーザ識別情報を含むものである。ユーザ識別情報が会員ＩＤ等の場合、認証部２５１は、認証処理を管理サーバ４００に実行させてもよい。具体的には、認証部２５１は、取得した会員ＩＤを管理サーバ４００に送信し、認証処理を実行させる。そして、認証部２５１は、管理サーバ４００から認証結果を受け取る。
【０１１２】
なお、写真シール作成装置１は、硬貨処理部２２１が予め定められた金額分の硬貨が投入されたことを検出してから、無線通信ユニット１５０を起動させてもよい。また、写真シール作成装置１は、写真シール作成ゲーム終了後に、無線通信ユニット１５０を停止させてもよい。これにより、やみくもに認証部２５１が認証処理を実行することを防ぐことができる。
【０１１３】
ユーザは、撮影工程、編集工程、事後接客工程、受取工程の何れかの工程において、携帯端末３００からユーザ識別情報を写真シール作成装置１に送信する。なお、ユーザは、前記の何れかの工程において、タッチパネル等の入力部を操作して、ユーザ識別情報を写真シール作成装置１に入力してもよい。
【０１１４】
利用情報生成部２５２は、ユーザ毎に、ユーザの写真シール作成装置１の利用に関する利用情報を生成するものである。利用情報生成部２５２は、生成した利用情報をユーザ毎に記憶部２０２に格納する。具体的には、利用情報生成部２５２は、生成した利用情報をユーザ識別情報に対応付けて記憶部２０２に格納する。ここで、複数のユーザにそれぞれ関する複数の利用情報を利用情報群と称する。
【０１１５】
ここで、利用情報は、例えば、撮影場所（ユーザが利用した写真シール作成装置１の設置場所）、写真シール作成装置１のユーザの利用頻度、および、ユーザが写真シール作成装置１でプレイした写真シール作成ゲームの内容である。前記利用頻度とは、例えば、ユーザの写真シール作成装置１での認証回数、または、ユーザが写真シール作成装置１にメールアドレスもしくは会員ＩＤを入力した回数である。また、写真シール作成ゲームの内容は、例えば、ユーザが選択した撮影コース、目・肌の加工の種類およびＢＧＭ、並びに、画像に対する編集内容（ユーザが選択した背景・スタンプ等、ユーザが入力した名前等の文字列）、並びに、写真シール作成装置１を利用したグループ内におけるユーザ間の関係（恋人、友人、家族等）など、ユーザがゲーム中に写真シール作成装置１に入力した内容である。
【０１１６】
送信部２５３は、認証部２５１からユーザ識別情報を受け取り、記憶部２０２に格納されている利用情報群２６２の中から、受け取ったユーザ識別情報に対応付けられている利用情報を読み出す。送信部２５３は、受け取ったユーザ識別情報と、読み出した利用情報とを、通信部２０３を介して、解析装置５００に送信する。
【０１１７】
なお、送信部２５３は、予め利用情報群２６２を解析装置５００に送信してもよい。具体的には、送信部２５３は、所定期間毎、または、利用情報生成部２５２が利用情報を生成する毎に、利用情報群２６２（または更新された利用情報）を解析装置５００に送信してもよい。
【０１１８】
取得部２５４は、複数のユーザの嗜好をそれぞれ推測するための複数の嗜好推測情報を含む嗜好推測情報群であって、或るユーザを示すユーザ識別情報が互いに異なる複数種類の嗜好推測情報群のうち、前記認証部が認証したユーザに関する複数種類の嗜好推測情報に基づいて特定された当該ユーザの嗜好に合った広告関連情報を、通信部２０３を介して、情報配信装置６００から取得（受信）する。取得部２５４は取得した広告関連情報を表示制御部２５５に出力する。嗜好推測情報、嗜好推測情報群および広告関連情報について詳細は後述する。
【０１１９】
表示制御部２５５は、取得部２５４から広告関連情報を受け取り、受け取った広告関連情報を表示部２３０に表示させる。ここで、表示部２３０とは、前記のタッチパネルモニタ９３、タブレット内蔵モニタ１３１、または、タブレット内蔵モニタ１４１である。
【０１２０】
表示部２３０が表示する広告関連情報は、例えば、（１）広告を表示するための広告情報、（２）クーポンをユーザに提供するためのクーポン情報、（３）ウェブサイトにアクセスするためのウェブサイト情報、（４）商品およびサービスの購入代金に使用可能なポイントをユーザに提供するためのポイント情報、または、（５）ゲームで利用可能なアイテムをユーザに提供するためのアイテム情報等である。このように、広告関連情報を、利用者がそのメリットを直感的に確認できる情報にすることにより、ユーザの満足度を高め、広告効果を向上させることができる。
【０１２１】
広告関連情報は、写真シール作成装置１の利用情報を管理する管理業者、または、当該管理業者が提供する商品もしくはサービスについての情報であってよい。これにより、管理業者がユーザを囲い込むことができる。
【０１２２】
また、ポイント情報は、写真シール作成装置（ユーザが利用している写真シール作成装置１およびユーザが利用している写真シール作成装置１以外の写真シール作成装置）において使用可能なポイントを提供するための情報であってよい。これにより、写真シール作成装置１の利用回数を向上させることができ、写真シール作成装置１毎の収入および写真シール作成装置１が設置されている店舗の収入を制御することができる。
【０１２３】
また、ポイント情報は、写真シール作成装置１の利用情報を管理する管理業者が提供した写真シール作成装置において使用可能なポイントを提供するための情報であってよい。これにより、管理業者がユーザを囲い込むことができる。
【０１２４】
例えば、写真シール作成装置１の機種に応じて、付与されるポイントの額またはポイント付与率を変えてもよい。また、写真シール作成装置１の機種が新しいほど、付与されるポイントの額またはポイント付与率を高くしてもよい。これにより新機種の利用を誘導することができる。また、写真シール作成装置１の機種が古いほど、付与されるポイントの額またはポイント付与率を高くしてもよい。これにより旧機種の利用を誘導することができる。また、ユーザ個人またはユーザ全体の利用回数が低い写真シール作成装置１の機種ほど、付与されるポイントの額またはポイント付与率を高くしてもよい。これにより、不人気機種の利用を誘導することができる。また、写真シール作成装置１が設置されている店舗によって、付与されるポイントの額またはポイント付与率を変えてもよい。例えば、人口が少ない地域に設置されている写真シール作成装置１（田舎の店舗の写真シール作成装置１）において付与されるポイントの額またはポイント付与率を高くしてもよい。これにより、田舎でのユーザの利用を促進させることができる。小規模の店舗（店舗面積または店舗を運営している会社が小規模）に設置されている写真シール作成装置１において付与されるポイントの額またはポイント付与率を高くしてもよい。これにより、特定の運営会社での利用を促進させることができる。また、天候に応じて付与されるポイントの額またはポイント付与率を変えてもよい。例えば、雨天時に付与されるポイントの額またはポイント付与率を高くすることにより、雨天時の利用を促進させることができる。
【０１２５】
なお、例えば、写真シール作成装置１で生成した画像を、画像提供サイト（管理サーバ４００）からユーザの携帯端末３００にダウンロードするための費用にポイントを使用できるようにしてもよい。また、ポイントは、写真シール作成装置１以外の商品またはサービスであって、写真シール作成装置１の利用情報を管理する管理業者が提供する商品またはサービスに使用可能なポイントであってもよい。また、写真シール作成装置１において付与されるポイントは、写真シール作成装置１の利用情報を管理する管理業者とは異なる業者が提供する商品またはサービスに使用可能なポイントに変換可能であってもよい。
【０１２６】
また、前記のポイントの額またはポイントの付与率が変動することに関して、下記のようにユーザに告知してもよい。例えば、写真シール作成装置１が設置されている店舗および／または写真シール作成装置１にのぼりまたはポップをつける。店舗への入店時等に、写真シール作成装置１が無線通信ユニット１５０を介して携帯端末３００にプッシュ通知を行う。画像提供サイトの会員であるユーザに対しては、お気に入りの店舗および／またはお気に入りの写真シール作成装置１の機種におけるポイント数をメールで配信してもよい。
【０１２７】
また、ユーザの嗜好を考慮して付与するポイントの額または付与率を変更してもよい。例えば、ユーザの写真シール作成装置１の利用として、新（旧）機種の利用が多い場合、新（旧）機種になるほどポイントの額または付与率を高くしてもよい。これにより、ユーザの嗜好に沿った利用を促進させることができる。また、ユーザの写真シール作成装置１の利用として、新（旧）機種の利用が多い場合、旧（新）機種になるほどポイントの額または付与率を高くしてもよい。これにより、ユーザの嗜好にはない、新しい価値観を提供することができる。ユーザの嗜好として、「人ごみが苦手」がある場合、設置場所が田舎である写真シール作成装置１（店舗）の利用時のポイントの額または付与率を高くしてもよい。これにより、ユーザが快適と考える利用環境を提供することができる。ユーザの嗜好として、「雨天はインドア派」がある場合、雨天の地域に設置された写真シール作成装置１（店舗）の利用時のポイントの額または付与率を高くしてもよい。これにより、ユーザの嗜好にはない、新しい価値観を提供することができる。
ユーザの嗜好として、「機種に対して特段の好みが無い（何れの機種も平均的に利用）」がある場合、利用回数（利用頻度）の低い写真シール作成装置１の利用時のポイントの額または付与率を高くしてもよい。これにより、不人気機種の利用を誘導することができる。
【０１２８】
また、前記アイテムは、例えば、アバターまたはアバター用のアイテム（アバター用の装飾品等）であってよい。アバターとは、ゲーム上の仮想世界におけるユーザの分身となるキャラクターである。また、前記アイテムは、ゲーム内で利用できるコイン（貨幣）であってよい。
【０１２９】
前記アイテムは、写真シール作成装置（ユーザが利用している写真シール作成装置１およびユーザが利用している写真シール作成装置１以外の写真シール作成装置）においてのみ入手可能な限定アイテムであってよい。これにより、写真シール作成装置１を利用するための動機付けをユーザに与えることができ、写真シール作成装置１毎の収入および写真シール作成装置１が設置されている店舗の収入を制御することができる。
【０１３０】
また、写真シール作成装置１の機種によって、提供するアバターまたはアバター用のアイテムのプレミアム度を変えてもよい。具体的には、写真シール作成装置１の機種が新しいほど、提供するアバターまたはアバター用のアイテムのプレミアム度を高くしてもよい。また、写真シール作成装置１の機種が古いほど、提供するアバターまたはアバター用のアイテムのプレミアム度を高くしてもよい。ユーザの利用回数の低い写真シール作成装置１の機種ほど、提供するアバターまたはアバター用のアイテムのプレミアム度を高くしてもよい。写真シール作成装置１が設置されている店舗（その場所またはその運営会社など）によって、提供するアバターまたはアバター用のアイテムのプレミアム度を変えてもよい。ユーザが所定回数（例えば１０００回）写真シール作成装置１を利用した時に、所定回数利用時限定のアバターまたはアバター用のアイテムを提供してもよい。またはこれらの組み合わせで、提供するアバターまたはアバター用のアイテムを変えてもよい。
【０１３１】
また、ユーザの嗜好に合わせて、提供するアバターまたはアバター用のアイテムを変えてもよい。例えば、ユーザが男性の場合、戦略ＲＰＧのアバターまたはアバター用のアイテムを提供してもよい。一方、ユーザが女性の場合、恋愛ＲＰＧのアバターまたはアバター用のアイテムを提供してもよい。また、ユーザがゲームのヘビーユーザである場合、ゲームで利用可能なアバターまたはアバター用のアイテムを提供し、ユーザが写真シール作成装置１のヘビーユーザである場合、写真シール作成装置１で利用可能なポイントを付与してもよい。また、ユーザがゲームのヘビーユーザである場合、写真シール作成装置１で利用可能なポイントを付与し、ユーザが写真シール作成装置１のヘビーユーザである場合、ゲームで利用可能なアバターまたはアバター用のアイテムを提供してもよい。このとき、利用情報を管理する管理業者が提供する写真シール作成装置１で利用可能なポイントまたは当該管理業者が提供するゲームで利用可能なアバターまたはアバター用のアイテムを提供することが好ましい。これにより、管理業者が提供する写真シール作成装置１またはゲームへ誘導することができ、ひいては管理業者が提供する商品またはサービスの全体的な収入を向上させることができる。
【０１３２】
〔解析装置の機能〕
次に、解析装置５００の機能構成について、図１２を参照して説明する。図１２は、解析装置５００の機能の要部構成を示すブロック図である。図１２に示すように、解析装置５００は、制御部５１０、記憶部５２０および通信部５３０を備えている。
【０１３３】
通信部５３０は、インターネットなどのネットワークを介して通信を行うインタフェースであり、写真シール作成装置１、管理サーバ４００および情報配信装置６００等の外部装置との間で通信を行う。
【０１３４】
記憶部５２０は、ハードディスクやフラッシュメモリなどの不揮発性の記憶媒体からなり、制御部５１０から供給された各種の設定情報を記憶する。
【０１３５】
制御部５１０は、例えば、ＣＰＵなどにより構成され、当該制御部５１０に接続されている記憶部５２０に記憶されているプログラムを実行することで解析装置５００の全体の動作を制御する。制御部５１０は、図１２に示すように、取得部５１１、嗜好推測部（特定部）５１２および送信部（嗜好データ送信部）５１３を備える。
【０１３６】
取得部５１１は、写真シール作成装置１から、通信部５３０を介して、ユーザ識別情報を取得する。取得部５１１は、取得したユーザ識別情報を嗜好推測部５１２に出力する。
【０１３７】
また、取得部５１１は、写真シール作成装置１および管理サーバ４００等の外部装置から、通信部５３０を介して、嗜好推測情報群を収集する。取得部５１１は、取得した嗜好推測情報群を記憶部５２０に格納する。嗜好推測情報群とは、或る外部装置が保持する嗜好推測情報であって、複数のユーザに関する嗜好推測情報を複数含むものである。なお、各嗜好推測情報には、各ユーザを一意に識別するためのユーザ識別情報が対応付けられている。
【０１３８】
取得部５１１は、複数の外部装置から、それぞれ複数種類の嗜好推測情報群を取得する。通常、異なる外部装置が保持する嗜好推測情報に対応付けられているユーザ識別情報は共通ではない。すなわち、或るユーザを示すユーザ識別情報は、外部装置毎に異なっている。換言すると、取得部５１１は、複数のユーザの嗜好をそれぞれ推測するための複数の嗜好推測情報を含む嗜好推測情報群であって、或るユーザを示すユーザ識別情報が互いに異なる複数種類の嗜好推測情報群を取得する。
【０１３９】
具体的には、取得部５１１は、写真シール作成装置１から嗜好推測情報群として利用情報群を取得する。また、取得部５１１は、写真シール作成装置１の利用情報を管理する管理業者が管理する管理サーバ４００から、嗜好推測情報群として、利用情報群と異なる第１嗜好推測情報群を取得する。また、取得部５１１は、写真シール作成装置１の利用情報を管理する管理業者とは異なる業者が管理する装置から、嗜好推測情報群として、利用情報群および第１嗜好推測情報群と異なる第２嗜好推測情報群を取得する。利用情報群、第１嗜好推測情報群および第２嗜好推測情報群は、或るユーザを示すユーザ識別情報が互いに異なっている。なお、利用情報群と第１嗜好推測情報群とは、ユーザ識別情報が共通、つまり、或るユーザを示すユーザ識別情報が同じであってもよい。
【０１４０】
また、取得部５１１は、複数のユーザの嗜好をそれぞれ推測するための複数の嗜好推測情報を含む嗜好推測情報群であって、前記嗜好推測情報群を管理する管理業者が互いに異なる複数種類の嗜好推測情報群を取得するとも言える。また、取得部５１１が取得する複数種類の嗜好推測情報群は、いわゆるビッグデータである。
【０１４１】
第１嗜好推測情報群は、複数のユーザに関する第１嗜好推測情報を含むものである。第１嗜好推測情報は、写真シール作成装置１の利用情報を管理する管理業者が管理するものであり、各ユーザを一意に識別するためのユーザ識別情報が対応付けられている。第１嗜好推測情報は、例えば、画像提供サイトに登録している会員情報、会員が画像提供サイトに保存している画像枚数、会員が画像提供サイトに画像を保存した時間（帯）、会員が画像提供サイトにアクセスした回数および時間（帯）等である。会員情報とは、例えば、会員登録したユーザの年齢、メールアドレス、ニックネーム、職業等である。また、第１嗜好推測情報は、画像提供サイト以外のウェブサイトであって、写真シール作成装置１利用情報を管理する管理業者が管理するウェブサイトのアクセス回数、ユーザがアクセスした当該ウェブサイトの内容、当該ウェブサイト上での商品またはサービスのユーザの購入履歴等であってもよい。また、第１嗜好推測情報は、ユーザが購入した商品またはサービス（例えば、ゲーム）であって、写真シール作成装置１の利用情報を管理する管理業者が提供する商品またはサービスの内容（例えば、恋愛ゲームまたは戦略ゲーム等）であってもよい。
【０１４２】
また、第２嗜好推測情報群は、複数のユーザに関する第２嗜好推測情報を含むものである。第２嗜好推測情報は、写真シール作成装置１の利用情報を管理する管理業者とは異なる業者が管理するものであり、各ユーザを一意に識別するためのユーザ識別情報が対応付けられている。第２嗜好推測情報は、例えば、前記管理業者とは異なる業者が管理するウェブサイト上での商品またはサービスのユーザのアクセスログおよび購入履歴、当該業者が提供するゲームまたはゲーム機の利用履歴、並びに、当該業者が提供した商品またはサービスの購入履歴（例えば、ポイントカードなどから特定される情報）等である。
【０１４３】
嗜好推測部５１２は、ユーザの嗜好を推定するものである。具体的には、嗜好推測部５１２は、取得部５１１からユーザ識別情報を受け取ると、記憶部５２０に格納されている複数種類の嗜好推測情報群（利用情報群５２１、第１嗜好推測情報群５２２および第２嗜好推測情報群５２３）から、受け取ったユーザ識別情報が示すユーザに関する複数種類の嗜好推測情報（例えば、利用情報と、第１嗜好推測情報および第２嗜好推測情報の少なくとも何れかと）を読み出す。嗜好推測部５１２は、読み出した複数種類の嗜好推測情報に基づいて、ユーザの嗜好を特定する。嗜好推測部５１２は、特定した嗜好を示す嗜好データを生成し、生成した嗜好データを送信部５１３に出力する。なお、嗜好推測部５１２は、公知の技術を用いて、ユーザの嗜好を特定する。
【０１４４】
なお、上述のように、利用情報群５２１、第１嗜好推測情報群５２２および第２嗜好推測情報群５２３においてユーザ識別情報が共通ではない。そのため、嗜好推測部５１２は、例えば各嗜好推測情報群のユーザ識別情報の対応関係を特定するための情報を参照して、各嗜好推測情報群の中から、受け取ったユーザ識別情報が示すユーザに関する嗜好推測情報を抽出する。
【０１４５】
送信部５１３は、嗜好推測部５１２から嗜好データを受け取り、受け取った嗜好データを、通信部５３０を介して、情報配信装置６００に送信する。
【０１４６】
なお、図１２に示すように、本実施形態では、解析装置５００の記憶部５２０に各嗜好推測情報群が格納されているがこれに限るものではない。各嗜好推測情報群は、解析装置５００と通信可能な外部のデータベース（利用情報データベース、第１嗜好推測情報データベース、第２嗜好推測情報データベース）に格納されていてもよい。
【０１４７】
〔情報配信装置の機能〕
次に、情報配信装置６００の機能構成について、図１３を参照して説明する。図１３は、情報配信装置６００の機能の要部構成を示すブロック図である。図１３に示すように、情報配信装置６００は、制御部６１０、記憶部６２０および通信部６３０を備えている。
【０１４８】
通信部６３０は、インターネットなどのネットワークを介して通信を行うインタフェースであり、写真シール作成装置１、解析装置５００および広告関連情報データベース７００等との間で通信を行う。
【０１４９】
記憶部６２０は、ハードディスクやフラッシュメモリなどの不揮発性の記憶媒体からなり、制御部６１０から供給された各種の設定情報を記憶する。
【０１５０】
制御部６１０は、例えば、ＣＰＵなどにより構成され、当該制御部６１０に接続されている記憶部６２０に記憶されているプログラムを実行することで情報配信装置６００の全体の動作を制御する。制御部６１０は、図１３に示すように、取得部６１１、情報特定部６１２および送信部６１３を備える。
【０１５１】
取得部６１１は、解析装置５００から、通信部６３０を介して、嗜好データを取得する。取得部６１１は、取得した嗜好データを情報特定部６１２に出力する。また、取得部６１１は、情報特定部６１２からの指示に基づいて、広告関連情報データベース７００から情報特定部６１２が特定した広告関連情報を取得する。取得部６１１は、取得した広告関連情報を送信部６１３に出力する。
【０１５２】
情報特定部６１２は、嗜好データ示す嗜好に合った広告関連情報を特定する。情報特定部６１２は、特定した広告関連情報を広告関連情報データベースから取得するように取得部６１１に指示する。なお、情報特定部６１２は、例えば嗜好と広告関連情報との対応関係を特定するための情報を参照して、嗜好データ示す嗜好に合った広告関連情報を特定する。
【０１５３】
例えば、情報特定部６１２は、ユーザの嗜好が「ファッション好き」であれば、広告関連情報として、衣服を購入可能なウェブサイト（例えば、ファッションコーディネイトサイトやフリーマーケットサイト等）で使用可能なポイントを提供するためのポイント情報を特定する。また、情報特定部６１２は、ユーザの嗜好が「利用情報を管理する管理業者が提供するゲームを少なくとも１つ購入している」であれば、広告関連情報として、そのゲームの特集を告知する情報や、そのゲームで利用可能なアバター用のアイテムを提供するためのアイテム情報を特定する。また、情報特定部６１２は、ユーザの嗜好が「利用情報を管理する管理業者とは異なる業者が提供するゲームを購入している」であれば、広告関連情報として、そのゲームに類似する当該管理業者が提供するゲームに関する情報や、当該ゲームで利用可能なアバター用のアイテムを提供するためのアイテム情報を特定する。また、情報特定部６１２は、ユーザの嗜好が「カラーコンタクトの購入経験あり」および「ゲームを購入している」であれば、広告関連情報として、そのゲームで利用可能なアバター用のアイテムとしてカラーコンタクトを提供するためのアイテム情報を特定する。また、情報特定部６１２は、衣服を購入可能なウェブサイトにおけるユーザの購入履歴から推定された当該ユーザのファッションに関する嗜好に基づいて、その嗜好に適したアバター用のアイテムを提供するためのアイテム情報を特定する。
【０１５４】
送信部６１３は、取得部６１１から広告関連情報を受け取り、受け取った広告関連情報を、通信部６３０を介して、写真シール作成装置１に送信する。
【０１５５】
〔情報配信システムの処理〕
図１４に基づいて、情報配信システム１０００が実行する情報配信処理について説明する。図１４は、情報配信システム１０００が実行する情報配信処理の一例を示すフローチャートである。
【０１５６】
図１４に示すように、まず、写真シール作成装置１の認証部２５１は、写真シール作成ゲームをプレイしているユーザを認証する（Ｓ１：認証ステップ）。送信部２５３は、認証部２５１が認証したユーザのユーザ識別情報を解析装置５００に送信する（Ｓ２：送信ステップ）。そして、解析装置５００の取得部５１１が、写真シール作成装置１からユーザ識別情報を取得する（Ｓ３：取得ステップ）。
【０１５７】
また、写真シール作成装置１の送信部２５３は、記憶部２０２から利用情報群を読み出し、読み出した利用情報群を解析装置５００に送信する（Ｓ４：送信ステップ）。そして、解析装置５００の取得部５１１が、写真シール作成装置１等から利用情報群を含む複数種類の嗜好推測情報群を取得する（Ｓ５：取得ステップ）。なお、Ｓ４およびＳ５の処理は、次のＳ６の処理を開始するまでに完了していればよい。また、Ｓ４において、送信部２５３は、認証部２５１が認証したユーザのユーザ識別情報に対応付けられている利用情報を少なくとも解析装置５００に送信すればよい。
【０１５８】
解析装置５００の嗜好推測部５１２は、複数種類の嗜好推測情報群から、取得部５１１が取得したユーザ識別情報が示すユーザに関する複数種類の嗜好推測情報を抽出し、抽出した複数種類の嗜好推測情報に基づいて、ユーザの嗜好を特定する（Ｓ６：特定ステップ）。送信部５１３は、嗜好推測部５１２が特定した嗜好を示す嗜好データを情報配信装置６００に送信する（Ｓ７：嗜好データ送信ステップ）。
【０１５９】
情報配信装置６００の取得部６１１は、解析装置５００から嗜好データを取得する（Ｓ８）。情報特定部６１２は、取得部６１１が取得した嗜好データ示す嗜好に合った広告関連情報を特定する（Ｓ９）。送信部６１３は、情報特定部６１２が特定した広告関連情報を写真シール作成装置１に送信する（Ｓ１０）。
【０１６０】
写真シール作成装置１の取得部２５４は、情報配信装置６００から広告関連情報を受信する（Ｓ１１：受信ステップ）。表示制御部２５５は、取得部２５４が取得した広告関連情報を表示部２３０に表示させる（Ｓ１２：表示ステップ）。
【０１６１】
〔広告関連情報の実施例〕
図１５に基づいて、写真シール作成装置１に表示される広告関連情報の実施例について説明する。図１５は、ユーザに関する複数種類の嗜好推測情報と、解析装置５００による解析結果と、写真シール作成装置１に表示される広告関連情報との関係を示す図である。
【０１６２】
（実施例Ａ）
まず、図１５の（Ａ）に示す例について説明する。図１５の（Ａ）に示すように、複数種類の嗜好推測情報９１０は、利用情報９１１と、利用情報以外の嗜好推測情報９１２とを含む。利用情報９１１は、ユーザが利用した写真シール作成装置１の機種、写真シール作成ゲームにおいてユーザが選択した撮影コース、写真シール作成装置１を利用したグループ内におけるユーザ間の関係、および、写真シール作成装置１の利用頻度を含む。また、利用情報以外の嗜好推測情報９１２は、ユーザが購入したゲーム、ユーザが閲覧したウェブサイト、および、ユーザが利用しているＳＮＳ（Social Networking Service）の属性等を含む。
【０１６３】
解析装置５００は、この複数種類の嗜好推測情報９１０を解析してユーザの嗜好を推定する。解析装置５００が推定したユーザの嗜好が、図１５の（Ａ）に示す解析結果９２０である。具体的に、解析装置５００は、ユーザが利用した写真シール作成装置１の機種およびユーザが閲覧したウェブサイト（ファッション）等から、ユーザの嗜好を「個性派ファッション好き」と推定する。また、解析装置５００は、ユーザが購入したゲームが恋愛ＲＰＧであることから、ユーザの嗜好を「恋愛ＲＰＧを利用」と推定する。また、解析装置５００は、写真シール作成装置１を利用したグループ内におけるユーザ間の関係（恋人と利用）およびユーザが購入したゲーム（恋愛ＲＰＧ）等から、ユーザの嗜好を「恋愛に関心が高い」と推定する。
【０１６４】
情報配信装置６００は、この解析結果９２０に合った広告関連情報を特定する。具体的に、情報配信装置６００が図１５の（Ａ）に示す広告関連情報９３０を特定したとする。広告関連情報９３０は、ゲームで利用可能なアイテムをユーザに提供するためのアイテム情報である。より具体的には、広告関連情報９３０は、ユーザが購入した恋愛ＲＰＧゲームで利用可能なアバター用のアイテムを提供するためのアイテム情報である。また、ユーザの嗜好が「個性派ファッション好き」であることから、アバター用のアイテムとして、個性的なサングラスを提供している。
【０１６５】
写真シール作成装置１の表示部２３０に、図１５の（Ａ）に示す広告関連情報９３０が表示されている状態において、ユーザが領域９３１を選択すると、写真シール作成装置１は、無線通信ユニット１５０を介して携帯端末３００に、アイテムを取得するための情報（例えばアイテム取得用ページにアクセスするためのリンク情報）を送信する。携帯端末３００は、写真シール作成装置１から取得したリンク情報を表示する。ユーザがリンクを選択することにより、携帯端末３００は、所定のサーバからアイテムを取得する。
【０１６６】
（実施例Ｂ）
次に、図１５の（Ｂ）に示す例について説明する。図１５の（Ｂ）に示すように、複数種類の嗜好推測情報９４０は、利用情報９４１と、利用情報以外の嗜好推測情報９４２とを含む。利用情報９４１は、ユーザが利用した写真シール作成装置１の機種および写真シール作成ゲームにおいてユーザがＢＧＭ（Background Music）を変更する頻度を含む。また、利用情報以外の嗜好推測情報９４２は、画像提供サイトに登録したユーザの職業、画像提供サイトにおいて画像を保存する時間帯、ユーザが利用したアーケードゲーム、および、ユーザがウェブサイト上で購入した商品もしくはサービス等を含む。
【０１６７】
解析装置５００は、この複数種類の嗜好推測情報９４０を解析してユーザの嗜好を推定する。解析装置５００が推定したユーザの嗜好が、図１５の（Ｂ）に示す解析結果９５０である。具体的に、解析装置５００は、写真シール作成ゲームにおいてユーザがＢＧＭを変更する頻度およびユーザがウェブサイト上で購入した商品もしくはサービス（音楽関係）等から、ユーザの嗜好を「音楽に関心が高い」と推定する。また、解析装置５００は、ユーザがウェブサイト上で購入した商品もしくはサービス（音楽関係）等から、ユーザの嗜好を「音楽ＤＬやＣＤをよく購入する」と推定する。また、解析装置５００は、写真シール作成ゲームにおいてユーザがＢＧＭを変更する頻度から、ユーザの嗜好を「よくＢＧＭ選択をする」と推定する。また、解析装置５００は、画像提供サイトに登録したユーザの職業および画像提供サイトにおいて画像を保存する時間帯等から、ユーザの嗜好を「夜が自由時間」と推定する。
【０１６８】
情報配信装置６００は、この解析結果９５０に合った広告関連情報を特定する。具体的に、情報配信装置６００が図１５の（Ｂ）に示す広告関連情報９６０を特定したとする。広告関連情報９６０は、商品およびサービスの購入代金に使用可能なポイントをユーザに提供するためのポイント情報である。より具体的には、広告関連情報９６０は、ユーザが利用した音楽ＤＬ（Down Load）サイトで使用可能なポイントを提供するためのポイント情報である。また、ユーザの嗜好が「夜が自由時間」であることから、夜間（２１時〜２３時）限定で利用可能なポイントを提供している。
【０１６９】
写真シール作成装置１の表示部２３０に、図１５の（Ｂ）に示す広告関連情報９６０が表示されている状態において、ユーザが領域９６１を選択すると、写真シール作成装置１は、無線通信ユニット１５０を介して携帯端末３００に、ポイントを取得するための情報（例えばポイント取得用ページにアクセスするためのリンク情報）を送信する。携帯端末３００は、写真シール作成装置１から取得したリンク情報を表示する。ユーザがリンクを選択することにより、携帯端末３００は、所定のサーバからポイントを取得する。
【０１７０】
（実施例Ｃ）
次に、図１５の（Ｃ）に示す例について説明する。図１５の（Ｃ）に示すように、複数種類の嗜好推測情報９７０は、利用情報９７１と、利用情報以外の嗜好推測情報９７２とを含む。利用情報９７１は、ユーザが利用した写真シール作成装置１の機種および写真シール作成装置１の利用頻度を含む。また、利用情報以外の嗜好推測情報９７２は、画像提供サイトに登録したユーザの職業、画像提供サイトに保存している画像枚数、ユーザが閲覧したウェブサイト、および、ユーザがウェブサイト上で購入した商品もしくはサービス等を含む。
【０１７１】
解析装置５００は、この複数種類の嗜好推測情報９７０を解析してユーザの嗜好を推定する。解析装置５００が推定したユーザの嗜好が、図１５の（Ｃ）に示す解析結果９８０である。具体的に、解析装置５００は、画像提供サイトに登録したユーザの職業から、ユーザの属性を「女子高校生」と推定する。また、解析装置５００は、写真シール作成装置１の利用頻度および画像提供サイトに保存している画像枚数等から、ユーザの嗜好を「写真シール作成装置好き」と推定する。また、解析装置５００は、ユーザが閲覧したウェブサイトおよびユーザがウェブサイト上で購入した商品もしくはサービス等から、ユーザの嗜好を「撮られるのが好き」と推定する。
【０１７２】
情報配信装置６００は、この解析結果９８０に合った広告関連情報を特定する。具体的に、情報配信装置６００が図１５の（Ｃ）に示す広告関連情報９９０を特定したとする。広告関連情報９９０は、ウェブサイトにアクセスするためのウェブサイト情報である。より具体的には、広告関連情報９９０は、ウェブサイト９９１と、ウェブサイト９９１にアクセスするためのウェブサイト情報９９２とを含む。また、ユーザの嗜好が「写真シール作成装置好き」および「撮られるのが好き」であることから、自撮りに関するウェブサイトを提示する。
【０１７３】
写真シール作成装置１の表示部２３０に、図１５の（Ｃ）に示す広告関連情報９９０が表示されている状態において、ユーザが領域９９２を選択すると、写真シール作成装置１は、無線通信ユニット１５０を介して携帯端末３００に、ウェブサイト９９１にアクセスするための情報（例えばウェブサイト９９１にアクセスするためのリンク情報）を送信する。携帯端末３００は、写真シール作成装置１から取得したリンク情報を表示する。ユーザがリンクを選択することにより、携帯端末３００は、ウェブサイト９９１を表示する。
【０１７４】
＜実施形態２＞
図１６に基づいて、本発明の他の実施形態（実施形態２）について説明する。なお、説明の便宜上、前記の実施形態１において示した部材と同一の機能を有する部材には、同一の符号を付し、その説明を省略する。
【０１７５】
図１６は、本実施形態に係る情報配信システム１００１の構成の一例を示す図である。情報配信システム１００１は、実施形態１に係る情報配信装置６００に代えて、第１情報配信装置６０１および第２情報配信装置６０２を含む。また、広告関連情報を配信する媒体８００として、写真シール作成装置１以外に、任意のウェブサイト８０１およびアドネットワーク８０２がある。なお、アドネットワーク８０２は、複数のウェブサイトをネットワーク化した広告ネットワークである。
【０１７６】
第１情報配信装置６０１は、広告主の広告効果の最大化を図るものである。第１情報配信装置６０１は、解析装置５００が推定したユーザの嗜好に合った広告関連情報を特定して、オークション形式で広告を入札し、第２情報配信装置６０２へ特定した広告関連情報を配信する。例えば、第１情報配信装置６０１はＤＳＰで実現される。
【０１７７】
第２情報配信装置６０２は、媒体８００を管理し、媒体側の広告利益の最大化を図るものである。第２情報配信装置６０２は、オークション形式で広告関連情報を配信する媒体（広告枠）を決定し、決定した媒体に広告関連情報を配信する。例えば、第２情報配信装置６０２はＳＳＰで実現される。
【０１７８】
〔情報配信システムの処理〕
本実施形態に係る情報配信システム１００１が実行する処理について説明する。
【０１７９】
まず、各媒体８００（写真シール作成装置１、ウェブサイト８０１およびアドネットワーク８０２）が、ユーザ認証を行い、解析装置５００にユーザ識別情報を送信する。解析装置５００は、受信したユーザ識別情報が示すユーザの嗜好を特定し、嗜好データを第１情報配信装置６０１に送信する。
【０１８０】
第１情報配信装置６０１は、受信した嗜好データに基づいて、広告主毎に、ユーザの嗜好に合った広告関連情報を特定する。
【０１８１】
また、媒体８００は、広告関連情報のリクエストを第２情報配信装置６０２に送信する。このとき、条件となる広告料も送信する。第２情報配信装置６０２は、各媒体８００からそれぞれの広告料を収集し、第１情報配信装置６０１に各媒体８００の広告料を送信する。
【０１８２】
第１情報配信装置６０１は、受信した各媒体８００の広告料を参照して、オークション形式で、各媒体８００に入札する広告主を決定する。なお、第１情報配信装置６０１は、事前に各広告主から広告掲載に掛かる費用を収集しておく。第１情報配信装置６０１は、決定した広告主の広告関連情報を広告関連情報データベースから読み出し、第２情報配信装置６０２に送信する。そして、第２情報配信装置６０２は、各媒体８００に広告関連情報を配信し、各媒体８００において広告関連情報が表示される。
【０１８３】
このように、媒体８００でユーザ認証を行うこと（例えばユーザログイン）により、写真シール作成装置１だけではなく、任意のウェブサイト８０１およびアドネットワーク８０２においても、ユーザの嗜好に合った広告関連情報を表示することができる。
【０１８４】
なお、前記の説明では便宜上、解析装置５００または第２情報配信装置と、ウェブサイト８０１およびアドネットワーク８０２とが情報のやり取りを行うと記載したが、実際には、ウェブサイト８０１およびアドネットワーク８０２を表示する通信装置（携帯端末３００やＰＣ等）が解析装置５００または第２情報配信装置と通信を行い、情報のやり取りを行う。
【０１８５】
＜変形例１＞
前記の実施形態では、写真シール作成装置１によってユーザに広告関連情報を提示しているが、これに限るものではなく、例えば、クレーンゲーム機などの他のアーケードゲーム機によってユーザに広告関連情報を提示してもよい。例えば、クレーンゲーム機において、景品と共にカードを排出し、そのカードに広告関連情報にアクセスするためのＱＲコード（登録商標）等を印刷してもよい。または、クレーンゲーム機において、排出される景品のタグに広告関連情報にアクセスするためのＱＲコード（登録商標）等を印刷してもよい。または、景品の排出時に、クレームゲーム機が携帯端末３００と通信を行い、ユーザの携帯端末３００に直接広告関連情報を表示させてもよい。
【０１８６】
＜変形例２＞
広告関連情報として、アルバイトなどの広告情報、クーポン情報、ウェブサイト情報等の他のサービスの利用を促進するものを提示した場合、いわゆる「アフィリエイト（成功報酬型）」の仕組みを適用してもよい。すなわち、公知の技術を用いて、ユーザが広告関連情報から他のサービスを利用したことを確認できた場合に、写真シール作成装置１が設置されている店舗および／または写真シール作成装置１を提供する提供業者に、広告主から報酬（広告料）が支払われるようにしてもよい。なお、前記の実施形態において、写真シール作成装置１を提供する提供業者と、利用情報を管理する管理業者は同一である。
【０１８７】
＜変形例３＞
前記の実施例Ａ〜Ｃでは、ポイントまたはアイテムの付与の前提条件として、そのサービスが利用できるウェブサイトの会員登録またはゲームアプリのダウンロートが完了しているものとしている。しかしながら、会員登録またはアプリのダウンロードをしていないユーザに対しては、まず、ユーザの携帯端末３００にて、会員登録またはアプリのダウンロードを行うように促し、会員登録またはアプリのダウンロートが完了してからポイントまたはアイテムを付与してもよい。会員登録またはアプリのダウンロートが行われない場合は、ユーザに提示したポイントまたはアイテムを取得する権利を消滅させてもよい。
【０１８８】
＜変形例４＞
広告関連情報として、ポイントまたはアイテムに代えて、写真シール作成装置１で生成された画像を複数用いて作成された３Ｄ（３次元）画像を提示してもよい。例えば、ユーザの顔または全身を模した３Ｄ画像を作成してもよい。写真シール作成装置１において、この３Ｄ画像から３Ｄプリンタで印刷して、３Ｄ模型のフィギュアをユーザに提供してもよい。また、３Ｄ画像をゲーム用のアバターに変換してユーザに提供してもよい。
【０１８９】
＜変形例５＞
写真シール作成装置１は、無線通信ユニット１５０を介して、写真シール作成ゲーム中の待ち時間に、ミニゲーム、他の写真シール作成装置の稼働情報（混雑の程度など）、および、他の写真シール作成装置の利用予約受付ページ等を携帯端末３００に送信してもよい。これにより、ユーザの利便性を向上させることができる。
【０１９０】
特に、利用予約受付ページを提示する場合、店舗に設置されている写真シール作成装置のうち、写真シール作成装置１の提供業者が提供した全ての写真シール作成装置の稼働状況を分析したうえで、次に利用可能と予測される他の写真シール作成装置の情報を提示することが好ましい。これにより、提供業者によるユーザの囲い込みをすることができる。
【０１９１】
＜変形例６＞
写真シール作成装置１は、無線通信ユニット１５０を介して携帯端末３００と通信を行い、以下のサービスを提供してもよい。
【０１９２】
（１）写真シール作成装置１が生成した画像を直接的にＳＮＳに掲載できるようにしてもよい。例えば、写真シール作成装置１においてユーザがＳＮＳに投稿する画像を選択すると、当該画像が掲載されたＳＮＳが携帯端末３００に表示される。
【０１９３】
（２）ユーザが画像提供サイトの会員である場合（会員登録が完了している場合）、写真シール作成装置１は、生成した画像を直接（画像提供サイトを介さず）携帯端末３００に送信してもよい。
【０１９４】
（３）任意のＳＮＳ（写真シール作成装置１の提供業者、画像提供サイトの管理業者およびその他の業者が管理するＳＮＳ）に掲載した画像を、携帯端末３００から写真シール作成装置１に直接的に送信し、写真シール作成装置１がその画像を印刷してもよい。
【０１９５】
（４）前記（１）〜（３）のサービスにおいて、写真シール作成装置１がユーザを一度認証したら、他の写真シール作成装置でも、ユーザの認証処理を行うことなく、前記（１）〜（３）のサービスを提供できるようにしてもよい。
【０１９６】
＜変形例７＞
なお、前記の実施形態１および実施形態２では、広告関連情報を写真シール作成装置１または媒体８００に表示させているがこれに限るものではない。例えば、写真シール作成装置１が情報配信装置６００から取得した広告関連情報を無線通信ユニット１５０を介して携帯端末３００に送信したり、情報配信装置６００が携帯端末３００に直接送信したりして、例えば図１５に示す広告関連情報９３０、９６０、９９０を携帯端末３００に表示させてもよい。
【０１９７】
＜ソフトウェアによる実現例＞
写真シール作成装置１、解析装置５００および情報配信装置６００の制御ブロック（特に制御部２０１、制御部５１０および制御部６１０）は、集積回路（ＩＣチップ）等に形成された論理回路（ハードウェア）によって実現してもよいし、ＣＰＵ（Central Processing Unit）を用いてソフトウェアによって実現してもよい。
【０１９８】
後者の場合、写真シール作成装置１、解析装置５００および情報配信装置６００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２００】
本発明は、写真シール作成装置などの広告媒体に広告関連情報を配信する情報配信システムに好適に利用することができる。
【符号の説明】
【０２０１】
１      写真シール作成装置（画像生成装置）
２３０  表示部
２５１  認証部
２５３  送信部
２５４  取得部（受信部）
５００  解析装置
５１１  取得部
５１２  嗜好推測部（特定部）
５１３  送信部（嗜好データ送信部）
６００  情報配信装置
６０１  第１情報配信装置
６０２  第２情報配信装置
１０００、１００１  情報配信システム
【図１】
0006547404.tif 000002
【図２】
0006547404.tif 000003
【図３】
0006547404.tif 000004
【図４】
0006547404.tif 000005
【図５】
0006547404.tif 000006
【図６】
0006547404.tif 000007
【図７】
0006547404.tif 000008
【図８】
0006547404.tif 000009
【図９】
0006547404.tif 000010
【図１０】
0006547404.tif 000011
【図１１】
0006547404.tif 000012
【図１２】
0006547404.tif 000013
【図１３】
0006547404.tif 000014
【図１４】
0006547404.tif 000015
【図１５】
0006547404.tif 000016
【図１６】
0006547404.tif 000017